(57)【要約】  【課題】  １の記録媒体の記録可能時間を超えた長時間の映像を録画することができる複合記録装置、複数種類の記録媒体に記録された映像を同時に視聴することができる複合再生装置、及び複数種類の記録媒体に記録された映像を編集することができる複合記録再生装置を提供する。  【解決手段】  ８ｍｍビデオテープ、ＤＶＣ及びＤＶＤに映像データを読み書きする８ｍｍ処理部３０、ＤＶＣ処理部４０及びＤＶＤ処理部５０を備え、１の記録媒体の記録可能残量を超えて映像を録画する場合、一の記録媒体の記録可能残量が少なくなった場合に映像データの記録先を他の記録媒体に切り替える。【選択図】      図２
2005260719.tif 000002
【特許請求の範囲】
【請求項１】
入力されたデータを夫々異なる種類の記録媒体に各記録する複数の記録処理部を備える複合記録装置において、
各記録処理部は、記録媒体の記録可能残量を検知する検知手段を有し、
記録媒体にデータを記録する記録処理部を切り替える切替手段と、
該切替手段により前記記録処理部を切り替えて各記録媒体へデータを継続的に記録する継続記録手段と、
前記検知手段が検知した記録可能残量が所定の記録可能残量以下であるか否かを判定する残量判定手段と、
前記継続記録手段によりデータを継続的に記録する場合、前記残量判定手段が、一の記録処理部で記録される記録媒体の記録可能残量が所定の記録可能残量以下であると判定したとき、他の記録処理部で記録媒体へのデータの記録を開始する記録開始手段と
を備えることを特徴とする複合記録装置。
【請求項２】
各記録処理部の切替順序を受け付ける順序受付手段を備え、
前記継続記録手段は、前記順序受付手段が受け付けた切替順序に従って各記録処理部を順次的に切り替えるよう構成してあることを特徴とする請求項１に記載の複合記録装置。
【請求項３】
各記録媒体に対する前記検知手段の検知結果に基づいて各記録処理部の切替順序を決定する順序決定手段を備え、
前記継続記録手段は、前記順序決定手段が決定した切替順序に従って各記録処理部を順次的に切り替えるよう構成してあることを特徴とする請求項１又は２に記載の複合記録装置。
【請求項４】
各記録処理部は、データを記録媒体に記録する場合、該記録媒体の識別データを前記記録媒体に記録する識別記録手段を有し、
前記継続記録手段によりデータを継続的に記録するとき、相前後してデータを記録する２個の記録媒体の内、一方の記録媒体に記録された識別データを他方の記録媒体に記録する継続識別記録手段を備えることを特徴とする請求項１乃至３の何れかひとつに記載の複合記録装置。
【請求項５】
各記録処理部は、データを記録媒体に記録する場合、該記録媒体の識別データを前記記録媒体に記録する識別記録手段を有し、
データを記録するための記録機器と、
前記継続記録手段によりデータを継続的に記録するとき、データを記録する各記録媒体の識別データを、データを記録した順序に対応して前記記録機器に記録する順序記録手段と
を備えることを特徴とする請求項１乃至３の何れかひとつに記載の複合記録装置。
【請求項６】
各記録処理部は、記録媒体を受け入れる受入部を備え、
２以上の前記受入部を積み重ねてあることを特徴とする請求項１乃至５の何れかひとつに記載の複合記録装置。
【請求項７】
動画データが記録してある夫々異なる種類の記録媒体から動画データを各読み出す複数の読出処理部を備える複合再生装置において、
前記複数の読出処理部の中で２以上の読出処理部が読み出した動画データに係る画像を組み合わせた組み合わせ画像を生成する組み合わせ画像生成手段と、
該組み合わせ画像生成手段が生成した組み合わせ画像を出力する出力手段と
を備えることを特徴とする複合再生装置。
【請求項８】
複数の読出処理部が読み出す動画データを同期させる同期手段を備え、
前記組み合わせ画像生成手段は、前記同期手段により同期した動画データを用いて組み合わせ画像を生成すべくなしてあることを特徴とする請求項７に記載の複合再生装置。
【請求項９】
各読出処理部が読み出す動画データに係る画像の縦横比を変換する縦横比変換手段を備え、
前記組み合わせ画像生成手段は、縦横比変換手段により画像の縦横比が変換された動画データを用いて組み合わせ画像を生成すべくなしてあることを特徴とする請求項７又は８に記載の複合再生装置。
【請求項１０】
画像の組み合わせ形態を受け付ける組み合わせ受付手段を備え、
前記組み合わせ画像生成手段は、前記組み合わせ受付手段が受け付けた組み合わせ形態に基づいて組み合わせ画像を生成すべくなしてあることを特徴とする請求項７乃至９の何れかひとつに記載の複合再生装置。
【請求項１１】
各読出処理部は、記録媒体を受け入れる受入部を備え、
２以上の前記受入部を積み重ねてあることを特徴とする請求項７乃至１０の何れかひとつに記載の複合再生装置。
【請求項１２】
データを記録するための記録機器と、動画データが記録してある夫々異なる種類の記録媒体から動画データを各読み出す複数の媒体処理部とを備える複合記録再生装置であって、
各記録媒体に記録してある動画データを繋ぎ合わせる順序を受け付ける繋合順受付手段と、
各媒体処理部が読み出した動画データを前記記録機器の一部の記録領域に記録する第１記録手段と、
前記一部の記録領域に記録された動画データを前記繋合順受付手段が受け付けた順序に従って読み出すデータ読出手段と、
該データ読出手段が読み出した動画データを読み出した順に前記記録機器の他部の記録領域に記録する第２記録手段と、
該第２記録手段が前記他部の記録領域に記録した一繋ぎの動画データを前記媒体処理部に係る記録媒体に記録する第３記録手段と
を備えることを特徴とする複合記録再生装置。
【請求項１３】
各媒体処理部は、記録媒体を受け入れる受入部を備え、
２以上の前記受入部を積み重ねてあることを特徴とする請求項１２に記載の複合記録再生装置。
【発明の詳細な説明】
【技術分野】
【０００１】
本発明は、相異なる種類の記録媒体にデータを記録する複合記録装置、相異なる種類の記録媒体から動画データを読み出す複合再生装置、及び相異なる種類の記録媒体から動画データを読み出し、また動画データを記録する複合記録再生装置に関する。
【背景技術】
【０００２】
複合記録装置は、ＶＨＳビデオテープ（以下、ＶＨＳという）及びＤＶＤ（Digital Versatile Disc）のような相異なる記録媒体に動画データを各々記録する複数の記録処理部を備え、外部から入力された動画データを１の記録媒体に記録するか、又は相異なる記録媒体に同時的に記録する。また、複合再生装置は、相異なる記録媒体から動画データを各々読み出す複数の読出処理部を備え、一の記録媒体に記録された動画データを読み出して動画を再生する。また、複合記録再生装置はこのような複合記録装置と複合再生装置とが更に複合してなる（非特許文献１参照）。
【非特許文献１】“ビデオ一体型ＤＶＤ”、［online］、［平成１６年２月３日検索］、インターネット＜ＵＲＬ：http://www.sharp.co.jp/products/dv2/index.html#dvrw200＞
【特許文献１】特開２００２−３５９７９４号公報
【発明の開示】
【発明が解決しようとする課題】
【０００３】
しかしながら、従来の複合記録装置は、一の記録媒体に動画データを記録している場合、他の記録媒体に十分な記録可能残量があるときでも、一の記録媒体の記録可能残量分までしか動画データを記録できないという問題があった。また、従来の複合再生装置は、相異なる種類の記録媒体に記録された動画データに係る画像を同時に再生することができないという問題があった。更に、従来の複合記録再生装置は、相異なる種類の記録媒体に記録された複数の動画データを編集して記録媒体に記録し直すことができないという問題があった。
【０００４】
特許文献１で提案されているネットワーク装置は、複数の記録再生装置を接続してなり、一の記録再生装置がデータを記録し、記録可能残量が減少した一の記録再生装置の代わりに他の記録再生装置がデータを記録する。しかしながら、このようなネットワーク装置は複数の記録再生装置で構成されるため、ネットワーク装置が大型化するという問題があった。
【０００５】
本発明は斯かる事情に鑑みてなされたものであり、一の種類の記録媒体にデータを記録し、一の種類の記録媒体の記録可能残量が所定残量以下である場合に、他の種類の記録媒体に対するデータの記録を開始する構成とすることにより、一の種類の記録媒体から他の種類の記録媒体へ継続的にデータを記録することができる複合記録装置を提供することを目的とする。
【０００６】
本発明の他の目的は、継続的にデータを記録する各記録処理部の順序を受け付け、受け付けた切替順序に従って各記録処理部を順次的に切り替える構成とすることにより、データの継続的な記録をユーザが所望する順序で行なうことができる複合記録装置を提供することにある。
【０００７】
本発明の他の目的は、継続的にデータを記録する各記録処理部の順序を各記録媒体の記録可能残量に基づいて決定し、決定した切替順序に従って各記録処理部を順次的に切り替える構成とすることにより、データの継続的な記録を効率良く行なうことができる複合記録装置を提供することにある。
【０００８】
本発明の他の目的は、データを継続的に記録される一方の記録媒体に他方の記録媒体の識別データを記録する構成とすることにより、各記録媒体に記録されたデータの記録順を容易に把握することができる複合記録装置を提供することにある。
【０００９】
本発明の他の目的は、各記録媒体の識別データを、データを記録した順序に対応して記録機器に記録する構成とすることにより、記録媒体の記録容量を浪費することなく、各記録媒体に記録されたデータの記録順を容易に把握することができる複合記録装置を提供することにある。
【００１０】
本発明の他の目的は、複数の動画データに係る画像を組み合わせた組み合わせ画像を生成する構成とすることにより、表示装置にて、相異なる種類の記録媒体に記録された動画データを同時に表示することができる複合再生装置を提供することにある。
【００１１】
本発明の他の目的は、同期させた複数の動画データに係る画像を組み合わせた組み合わせ画像を生成する構成とすることにより、組み合わせ画像を構成する複数の画像を同期させることができる複合再生装置を提供することにある。
【００１２】
本発明の他の目的は、縦横比が変換された画像を組み合わせた組み合わせ画像を生成する構成とすることにより、元の画像の形状とは異なる形状の画像を組み合わせた組み合わせ画像を生成することができる複合再生装置を提供することにある。
【００１３】
本発明の他の目的は、画像の組み合わせ形態を受け付けて、受け付けた組み合わせ形態に基づいた組み合わせ画像を生成する構成とすることにより、ユーザが所望する組み合わせ画像を生成することができる複合再生装置を提供することにある。
【００１４】
本発明の他の目的は、相異なる種類の記録媒体に記録された複数の動画データを記録機器に記録し、記録した動画データを繋ぎ合わせて記録媒体に記録する構成とすることにより、複数の動画データを繋ぎ合わせてなる一繋ぎの動画データを記録媒体に記録することができる複合記録再生装置を提供することにある。
【００１５】
本発明の更に他の目的は、２以上の受入部を積み重ねる構成とすることにより、小型化することができる複合記録装置、複合再生装置又は複合記録再生装置を提供することにある。
【課題を解決するための手段】
【００１６】
本発明に係る複合記録装置は、入力されたデータを夫々異なる種類の記録媒体に各記録する複数の記録処理部を備える複合記録装置において、各記録処理部は、記録媒体の記録可能残量を検知する検知手段を有し、記録媒体にデータを記録する記録処理部を切り替える切替手段と、該切替手段により前記記録処理部を切り替えて各記録媒体へデータを継続的に記録する継続記録手段と、前記検知手段が検知した記録可能残量が所定の記録可能残量以下であるか否かを判定する残量判定手段と、前記継続記録手段によりデータを継続的に記録する場合、前記残量判定手段が、一の記録処理部で記録される記録媒体の記録可能残量が所定の記録可能残量以下であると判定したとき、他の記録処理部で記録媒体へのデータの記録を開始する記録開始手段とを備えることを特徴とする。
【００１７】
本発明に係る複合記録装置は、各記録処理部の切替順序を受け付ける順序受付手段を備え、前記継続記録手段は、前記順序受付手段が受け付けた切替順序に従って各記録処理部を順次的に切り替えるよう構成してあることを特徴とする。
【００１８】
本発明に係る複合記録装置は、各記録媒体に対する前記検知手段の検知結果に基づいて各記録処理部の切替順序を決定する順序決定手段を備え、前記継続記録手段は、前記順序決定手段が決定した切替順序に従って各記録処理部を順次的に切り替えるよう構成してあることを特徴とする。
【００１９】
本発明に係る複合記録装置は、各記録処理部は、データを記録媒体に記録する場合、該記録媒体の識別データを前記記録媒体に記録する識別記録手段を有し、前記継続記録手段によりデータを継続的に記録するとき、相前後してデータを記録する２個の記録媒体の内、一方の記録媒体に記録された識別データを他方の記録媒体に記録する継続識別記録手段を備えることを特徴とする。
【００２０】
本発明に係る複合記録装置は、各記録処理部は、データを記録媒体に記録する場合、該記録媒体の識別データを前記記録媒体に記録する識別記録手段を有し、データを記録するための記録機器と、前記継続記録手段によりデータを継続的に記録するとき、データを記録する各記録媒体の識別データを、データを記録した順序に対応して前記記録機器に記録する順序記録手段とを備えることを特徴とする。
【００２１】
本発明に係る複合記録装置は、各記録処理部は、記録媒体を受け入れる受入部を備え、２以上の前記受入部を積み重ねてあることを特徴とする。
【００２２】
本発明に係る複合再生装置は、動画データが記録してある夫々異なる種類の記録媒体から動画データを各読み出す複数の読出処理部を備える複合再生装置において、前記複数の読出処理部の中で２以上の読出処理部が読み出した動画データに係る画像を組み合わせた組み合わせ画像を生成する組み合わせ画像生成手段と、該組み合わせ画像生成手段が生成した組み合わせ画像を出力する出力手段とを備えることを特徴とする。
【００２３】
本発明に係る複合再生装置は、複数の読出処理部が読み出す動画データを同期させる同期手段を備え、前記組み合わせ画像生成手段は、前記同期手段により同期した動画データを用いて組み合わせ画像を生成すべくなしてあることを特徴とする。
【００２４】
本発明に係る複合再生装置は、各読出処理部が読み出す動画データに係る画像の縦横比を変換する縦横比変換手段を備え、前記組み合わせ画像生成手段は、縦横比変換手段により画像の縦横比が変換された動画データを用いて組み合わせ画像を生成すべくなしてあることを特徴とする。
【００２５】
本発明に係る複合再生装置は、画像の組み合わせ形態を受け付ける組み合わせ受付手段を備え、前記組み合わせ画像生成手段は、前記組み合わせ受付手段が受け付けた組み合わせ形態に基づいて組み合わせ画像を生成すべくなしてあることを特徴とする。
【００２６】
本発明に係る複合再生装置は、各読出処理部は、記録媒体を受け入れる受入部を備え、２以上の前記受入部を積み重ねてあることを特徴とする。
【００２７】
本発明に係る複合記録再生装置は、データを記録するための記録機器と、動画データが記録してある夫々異なる種類の記録媒体から動画データを各読み出す複数の媒体処理部とを備える複合記録再生装置であって、各記録媒体に記録してある動画データを繋ぎ合わせる順序を受け付ける繋合順受付手段と、各媒体処理部が読み出した動画データを前記記録機器の一部の記録領域に記録する第１記録手段と、前記一部の記録領域に記録された動画データを前記繋合順受付手段が受け付けた順序に従って読み出すデータ読出手段と、該データ読出手段が読み出した動画データを読み出した順に前記記録機器の他部の記録領域に記録する第２記録手段と、該第２記録手段が前記他部の記録領域に記録した一繋ぎの動画データを前記媒体処理部に係る記録媒体に記録する第３記録手段とを備えることを特徴とする。
【００２８】
本発明に係る複合記録再生装置は、各媒体処理部は、記録媒体を受け入れる受入部を備え、２以上の前記受入部を積み重ねてあることを特徴とする。
【００２９】
本発明にあっては、チューナ、接続端子等を介して入力されたデータを記録媒体に記録する複数の記録処理部を備え、該記録処理部は夫々相異なる種類の記録媒体にデータを記録する。また、記録媒体にデータを記録する記録処理部を切り替えて各記録媒体にデータを継続的に記録する。この場合、一の記録処理部が記録媒体にデータを記録し、一の記録処理部の検知手段が記録媒体の記録可能残量を検知する。次に、検知手段が検知した記録可能残量が所定の記録可能残量以下であるか否かを判定し、記録媒体の記録可能残量が所定の記録可能残量以下であると判定したとき、他の記録処理部で記録媒体へのデータの記録を開始する。一の記録処理部におけるデータの記録終了は、他の記録処理部におけるデータの記録開始後であることが望ましい。
【００３０】
本発明にあっては、データを継続的に記録する際の各記録処理部の順序を受け付け、記録媒体にデータを記録する記録処理部を、受け付けた切替順序に従って順次的に切り替えて、各記録媒体へデータを継続的に記録する。この場合、例えばユーザが複合記録装置の操作手段を用いて各記録処理部の順序を入力し、また、入力された順序に従って、一の記録処理部が記録媒体にデータを記録する。更に、一の記録処理部の検知手段が検知した記録可能残量が所定の記録可能残量以下であると判定したとき、次の順序の他の記録処理部で記録媒体へのデータの記録を開始する。
【００３１】
本発明にあっては、検知手段の検知結果である各記録媒体の記録可能残量に基づいて、データを継続的に記録する際の各記録処理部の順序を決定し、記録媒体にデータを記録する記録処理部を、決定した切替順序に従って順次的に切り替えて、各記録媒体へデータを継続的に記録する。この場合、例えば複合処理装置の制御手段が、記録可能残量が多い／少ない記録媒体に対応する記録処理部から先に記録媒体へのデータの記録を開始するよう各記録処理部の順序を決定し、また、決定した順序に従って、一の記録処理部が記録媒体にデータを記録する。更に、一の記録処理部の検知手段が検知した記録可能残量が所定の記録可能残量以下であると判定したとき、次の順序の他の記録処理部で記録媒体へのデータの記録を開始する。
【００３２】
本発明にあっては、記録媒体の識別データを記録媒体に記録し、各記録処理部によって相前後してデータが記録される２個の記録媒体の内、一方の記録媒体に記録された識別データを他方の記録媒体に記録する。この場合、先に／後からデータが記録された記録媒体の識別データを後から／先にデータが記録された記録媒体の識別データを記録するか、相互に識別データを記録し合う。
【００３３】
本発明にあっては、記録媒体の識別データを記録媒体に記録し、各記録媒体の識別データを、各記録処理部によってデータが記録された順序に対応して記録機器に記録する。この場合、例えば複数の識別データを、データが記録された順序に並べて記録機器に記録するか、識別データ夫々に、データが記録された順に対応する数値を関連付けて記録機器に記録する。
【００３４】
本発明にあっては、動画データが記録してある記録媒体から動画データを読み出す複数の読出処理部を備え、該読出処理部は夫々相異なる種類の記録媒体から動画データを読み出す。また、２以上の読出処理部が夫々相異なる種類の記録媒体から動画データを順次的又は同時的に読み出し、読み出した２以上の動画データに係る画像を組み合わせた組み合わせ画像を生成し、生成した組み合わせ画像を出力する。この場合、生成した組み合わせ画像が、例えば内蔵又は外部の表示装置に表示される。
【００３５】
本発明にあっては、２以上の読出処理部が夫々相異なる種類の記録媒体から動画データを読み出し、読み出した２以上の動画データに係る画像の再生のタイミングが合致するよう動画データを同期させ、同期した動画データに係る画像を組み合わせた組み合わせ画像を生成し、生成した組み合わせ画像を出力する。
【００３６】
本発明にあっては、２以上の読出処理部が夫々相異なる種類の記録媒体から動画データを読み出し、読み出した２以上の動画データに係る画像の縦横比が変換するよう動画データをデータ処理し、データ処理した動画データに係る画像を組み合わせた組み合わせ画像を生成し、生成した組み合わせ画像を出力する。
【００３７】
本発明にあっては、画像の組み合わせ形態を受け付け、２以上の読出処理部が夫々相異なる種類の記録媒体から動画データを読み出し、読み出した２以上の動画データに係る画像を組み合わせた組み合わせ画像を、受け付けた組み合わせ形態に基づいて生成し、生成した組み合わせ画像を出力する。
【００３８】
本発明にあっては、データを記録するためのハードディスクのような記録機器と、動画データが記録してある記録媒体から動画データを読み出す複数の媒体処理部とを備え、該媒体処理部は夫々相異なる種類の記録媒体から動画データを読み出す。また、各媒体処理部が読み出した動画データを記録機器の一部の記録領域に記録し、動画データを繋ぎ合わせる順序を受け付け、記録された動画データを、受け付けた順序に従って記録機器から読み出し、読み出した動画データを読み出した順に記録機器の他部の記録領域に記録して一繋ぎの動画データとなし、記録した一繋ぎの動画データを記録機器から読み出して、記録媒体に記録する。
【００３９】
本発明にあっては、相異なる種類の記録媒体を夫々受け入れる受入部を２以上積み重ねてある。この場合、例えば３種類の記録媒体を夫々受け入れる３個の受入部を全て積重配置したり、２個の受入部を積重配置し、積重配置された受入部に対して１個の受入部を並置したりする。
【発明の効果】
【００４０】
本発明の複合記録装置によれば、チューナ、接続端子等を介して入力された動画像／静止画像データ、音声データ、映像データ等のデータを一の種類の記録媒体に記録し、一の種類の記録媒体の記録可能残量が所定残量以下である場合に、一の種類の記録媒体に記録していないデータを他の種類の記録媒体に記録することができる。このため、一の種類の記録媒体の記録可能残量を越えるデータ量を有するデータを記録する場合であっても、相異なる種類の記録媒体にわたって継続的にデータを記録することができ、一の種類の記録媒体に記録することができなかったデータの欠落を防止することができる。また、１の複合記録装置でデータの継続的な記録を行なうことができるため、複数の記録再生装置でデータの継続的な記録を行なうネットワーク装置を用いる必要がなく、複合記録装置はこのようなネットワーク装置よりも小型化することができる。
【００４１】
また、本発明の複合記録装置によれば、データを継続的に記録する際の各記録処理部の順序を受け付け、受け付けた切替順序に従って各記録処理部を順次的に切り替える。このことにより、例えばユーザが複合記録装置の操作手段を用いて各記録処理部の順序を入力することができ、このためデータの継続的な記録をユーザが所望する順序で行なうことができる。この結果、ユーザの利便性を向上させることができる。
【００４２】
更に、本発明の複合記録装置によれば、検知手段の検知結果である各記録媒体の記録可能残量に基づいて、データを継続的に記録する際の各記録処理部の順序を決定し、決定した切替順序に従って各記録処理部を順次的に切り替える。このことにより、例えば複合処理装置の制御手段が、記録可能残量が多い／少ない記録媒体に対応する記録処理部から先に記録媒体へのデータの記録を開始するよう各記録処理部の順序を決定することができる。このため、データの継続的な記録を記録可能残量が多い／少ない順に効率良く行なうことができ、更にまた、ユーザによる各記録媒体の記録可能残量の確認、及び各記録処理部の順序の入力が不要であるため、ユーザの利便性を向上させることができる。
【００４３】
また、本発明の複合記録装置によれば、相前後してデータを記録する２個の記録媒体の内、一方の記録媒体に記録された識別データを他方の記録媒体に記録する。ここで、先に／後からデータを記録した記録媒体の識別データを後から／先にデータを記録した記録媒体の識別データを記録する場合、一の種類の記録媒体に記録された他の種類の記録媒体の識別データに基づいて、一の種類の記録媒体に記録されたデータの前／後にデータを記録した他の種類の記録媒体をユーザ、複合記録装置の制御手段等が容易に検索することができる。更にまた、２個の記録媒体に対し相互に識別データを記録し合う場合、一の種類の記録媒体に記録されたデータの前／後にデータを記録した他の種類の記録媒体をユーザ、複合記録装置の制御手段等が更に容易に検索することができる。
【００４４】
以上の結果、相異なる種類の記録媒体に対し継続的に記録したデータを、データを記録した複合記録装置以外の他の装置が用いる場合又は他のユーザが利用する場合でも、他の装置又は他のユーザが各記録媒体に記録されたデータの記録順を容易に把握することができる。ただし、ユーザが各記録媒体の識別データを確認するためには、記録媒体に記録された識別データをユーザに報知する手段を、例えば複合記録装置に別途備える必要がある。
【００４５】
また、本発明の複合記録装置によれば、複数の識別データを、データを記録した順序に並べて記録機器に記録するか、識別データ夫々にデータを記録した順に対応する数値を関連付けて記録機器に記録する等、各記録媒体の識別データを、データを記録した順序に対応して記録機器に記録する。このため、一の種類の記録媒体に記録された識別データと記録機器に記録された各識別データの順序とに基づいて、一の種類の記録媒体に記録されたデータの前／後にデータを記録した他の種類の記録媒体をユーザ、複合記録装置の制御手段等が容易に検索することができる。
【００４６】
この場合、各記録媒体には識別データのみが記録され、一の種類の記録媒体に記録されたデータと他の種類の記録媒体に記録されたデータとの記録順を示す情報は、記録媒体ではなく複合記録装置内部の記録機器に記録される。この結果、記録媒体の記録容量を浪費することなく、データを記録した複合記録装置、又はデータを記録させたユーザ若しくは他のユーザが、各記録媒体に記録されたデータの記録順を容易に把握することができる。ただし、ユーザが各記録媒体の識別データを確認するためには、記録媒体に記録された識別データをユーザに報知する手段を、例えば複合記録装置に別途備える必要がある。
【００４７】
また、本発明の複合再生装置によれば、２以上の読出処理部が夫々相異なる種類の記録媒体から動画データを順次的又は同時的に読み出して生成した組み合わせ画像を出力することにより、組み合わせ画像には、２以上の動画データ夫々に係る画像を含めることができる。このため、複合再生装置は相異なる種類の記録媒体に記録された動画データに係る画像を同時に再生することができる。この場合、例えば複合再生装置内部又は外部の表示装置にて、相異なる種類の記録媒体に記録された動画データを同時に表示することができる。この結果、ユーザは、相異なる種類の記録媒体に記録された動画データを各１台の複合再生装置及び表示装置、又は表示装置を備える１台の複合再生装置を用いて並行的に見ることができる。つまり、ユーザの利便性を向上させることができる。
【００４８】
更に、本発明の複合再生装置によれば、２以上の読出処理部が夫々相異なる種類の記録媒体から読み出した動画データを同期させてから生成した組み合わせ画像を出力することにより、組み合わせ画像に含まれる２以上の動画データ夫々に係る画像の再生のタイミングを合致させることができる。このため、複合再生装置内部又は外部の表示装置にて、相異なる種類の記録媒体に記録された動画データを正確に表示することができる。
【００４９】
更にまた、本発明の複合再生装置によれば、２以上の読出処理部が夫々相異なる種類の記録媒体から読み出した動画データに係る画像の縦横比が変換するよう動画データをデータ処理してから生成した組み合わせ画像を出力する。このことにより、例えば、２個の動画データに係る画像を表示装置に表示する場合、各画像に表示装置の表示画面の半分の面積が割り当てられるとき、縦横比を２倍にして、各画像の縦の長さを変更せず横の長さを１／２にすることができる。このため、組み合わせ画像に含まれる２以上の動画データ夫々に係る画像の形状を適宜変更することができる。
【００５０】
また、本発明の複合再生装置によれば、画像の組み合わせ形態を受け付け、２以上の読出処理部が夫々相異なる種類の記録媒体から読み出した動画データに係る画像を、受け付けた組み合わせ形態に基づいて組み合わせた組み合わせ画像を出力する。このことにより、例えば、２個の動画データに係る画像を表示装置に表示する場合、２個の画像を並置したり、夫々の一部を重ねたり、各画像の縦の長さ及び横の長さを夫々１／２にしたりすることができる。このため、ユーザが所望する組み合わせ画像を生成することができ、ユーザの利便性を向上させることができる。
【００５１】
更に、本発明の複合記録再生装置によれば、各媒体処理部が夫々相異なる種類の記録媒体から読み出した動画データを記録機器の一部の記録領域に記録する。また、動画データを繋ぎ合わせる順序を受け付け、受け付けた順序に従って記録機器から読み出した動画データを、読み出した順に記録機器の他部の記録領域に記録して一繋ぎの動画データとなし、記録機器から読み出した一繋ぎの動画データを記録媒体に記録する。このことにより、相異なる種類の記録媒体に記録された複数の動画データを、一旦記録機器に記録してから編集して１の連続的な映像データとなし、記録媒体に記録し直すことができる。更に、動画データを一旦記録機器に記録しているため、一の種類の記録媒体から読み出した動画データを含む一繋ぎの動画データを、同一の記録媒体又は同一種類の記録媒体に容易に記録することができる。
【００５２】
更にまた、本発明の複合記録装置、複合再生装置又は複合記録再生装置によれば、相異なる種類の記録媒体を夫々受け入れる受入部を２以上積み重ねてある。従来の複合記録装置、複合再生装置又は複合記録再生装置は、例えばＶＨＳの受入部とＤＶＤの受入部とを並置しているため、装置の横幅が大きく、また、３種類以上の記録媒体夫々の受入部を並置することによって装置の横幅が更に大きくなる。
【００５３】
一方、本発明の複合記録装置、複合再生装置又は複合記録再生装置は、例えば３種類の記録媒体を夫々受け入れる３個の受入部を全て積重配置したり、２個の受入部を積重配置し、積重配置された受入部に対して１個の受入部を並置したりすることができる。このため、装置の仕様に応じて受入部を配置することができ、装置の横幅を縮小して装置を小型化することができる等、本発明は優れた効果を奏する。
【発明を実施するための最良の形態】
【００５４】
以下、本発明を、その実施の形態を示す図面に基づいて詳述する。
【００５５】
図１は、本発明に係る一の構成を有する複合記録再生装置１の外観を示す斜視図であり、図２は、複合記録再生装置１の全体的な構成を示すブロック図である。複合記録再生装置１は、８ｍｍビデオテープ（以下、８ｍｍという）、ＤＶＣ（Digital Video Cassette）、及びＤＶＤ夫々のプレーヤとレコーダとを兼ねる複合記録再生装置である。各記録媒体には、動画像データと音声データとを含む映像データが記録される。
【００５６】
また、図中２は液晶テレビであり、液晶テレビ２は矩形板状の本体２ａと本体２ａを支持するための脚部２ｂとで構成され、液晶表示パネルを用いてなる表示部２１を本体２ａの正面中央に備え、正面左右にスピーカ２２，２２を備える。液晶テレビ２は、複合記録再生装置１から送出された動画像データ及び音声データを受け付けて、表示部２１にて動画像を表示し、スピーカ２２，２２にて音声を出力する。
【００５７】
複合記録再生装置１は直方体状であり、その上面は液晶テレビ２の脚部２ｂが載置可能な程度の面積を有する。複合記録再生装置１の正面には、操作ユニット１３４と、８ｍｍ、ＤＶＣ、及びＤＶＤを各別に受け入れる記録媒体受入部１ａ，１ｂ，１ｃ夫々の記録媒体挿入口と、入出力部３２，６０，６２夫々の接続端子とが設けられている。記録媒体受入部１ａ，１ｂは、記録媒体挿入口から挿入された８ｍｍ又はＤＶＣを複合記録再生装置１内部へ自動的に取り込み、また、複合記録再生装置１内部から記録媒体挿入口を通過して８ｍｍ、ＤＶＣを排出するよう構成され、ＤＶＤ受入部１ｃは、記録媒体挿入口から、ＤＶＤが載置された図示しないトレイを自動的に挿入／排出するよう構成されている。
【００５８】
入出力部３２，６０，６２は、映像を送受するためのインタフェースであり、接続端子に着脱可能な接続ケーブルを介して外部の電気機器と接続して有線で映像を送受する。例えば、第１ＡＶ入出力部３２の出力端子及び入力端子は液晶テレビ２の一の入力端子及び図示しない８ｍｍビデオカメラの入力端子と接続し、第２ＡＶ入出力部６０の出力端子は液晶テレビ２の他の入力端子と接続し、ＤＶ入出力部６２の入力端子は、図示しないデジタルビデオカメラの入力端子と接続する。ここで、液晶テレビ２は、例えば液晶テレビ２及び複合記録再生装置１夫々の正面が略同一方向に向いた状態で複合記録再生装置１上に載置される。
【００５９】
なお、各入出力部３２，６０，６２は、接続端子の他、Ａ／Ｄ又はＤ／Ａ変換部、エンコーダ、デコーダ、ＳＤＲＡＭを用いてなるバッファメモリ（以下、バッファという）等を備える構成でも良く、また外部の電気機器と無線で映像を送受する構成でも良い。無線で映像を送受する場合、液晶テレビ２は複合記録再生装置１に対し適長離隔して配置しても良い。
【００６０】
複合記録再生装置１は、左側下部にＤＶＣ受入部１ｂが配置され、左側上部、即ちＤＶＣ受入部１ｂ上に８ｍｍ受入部１ａが積み重なるようにして配置され、右側にＤＶＤ受入部１ｃが、積重配置された記録媒体受入部１ａ，１ｂに対して並置され、このように配置された記録媒体受入部１ａ，１ｂ，１ｃに合わせて他部（例えば操作ユニット１３４、入出力部３２，６０，６２等）が適宜配置されている。
【００６１】
複合記録再生装置１は、操作ユニット１３４、入出力部３２，６０，６２等の他、ＭＰＵを用いてなる主制御部１０、ＲＯＭ１１、ＲＡＭ１２、チューナ１５、電源機器１６、ＨＤＤ１７、記録媒体処理部３０，４０，５０、同期部３１，４１，５１、及び画面合成部６３を更に備える。主制御部１０は複合記録再生装置１の制御中枢であり、バス又は信号線を介してＲＯＭ１１、ＲＡＭ１２等の装置各部に接続され、ＲＯＭ１１に記憶された制御プログラム及びデータに従って装置各部を制御し、このときＲＡＭ１２を作業領域として用いて各種処理を実行する。
【００６２】
操作ユニット１３４は、ユーザが複合記録再生装置１を操作するための操作部１３及び液晶表示パネルを用いてなる表示部１４で構成されている。操作部１３は、複合記録再生装置１に一体に設けられている各種操作ボタン、及び複合記録再生装置１に別体に設けられ操作信号を無線で送信するリモートコントローラと複合記録再生装置１に一体に設けられ操作信号を受信する受信部とで構成されている。表示部１４は、主制御部１０に制御されて、複合記録再生装置１の動作状況、ユーザに対する指示等を表示し、ユーザは表示部１４を視認しながら操作部１３を操作することによって複合記録再生装置１に各種の命令を入力する。入力された命令はＲＡＭ１２に記憶され、複合記録再生装置１はＲＡＭ１２に記憶された命令に従って作動する。
【００６３】
チューナ１５は、例えばＵＨＦテレビジョン放送信号及びＶＨＦテレビジョン放送信号の受信用チューナであり、操作部１３を用いてユーザが選択した放送チャンネルに応じた放送信号を取得し、取得した放送信号を映像データとして第１ＡＶ入出力部３２、第２ＡＶ入出力部６０、又はＤＶＣ処理部４０へ出力する。電源機器１６は複合記録再生装置１が駆動するための電力を外部から受電し、主制御部１０に制御されて各部へ配電する。ＨＤＤ１７はハードディスクを用いてなる大容量の記憶装置（記録機器）である。
【００６４】
図３、図４及び図５は、複合記録再生装置１が備える８ｍｍ処理部３０、ＤＶＣ処理部４０及びＤＶＤ処理部５０に関する構成を示すブロック図である。８ｍｍ処理部３０は、８ｍｍ駆動部３０１、ヘッドアンプ３０２、映像処理部３０３、駆動制御部３０４、及びテープセンサ３０５を備える。映像データを読み書きする際、主制御部１０が駆動制御部３０４及び映像処理部３０３の動作を制御し、主制御部１０に制御された駆動制御部３０４が、８ｍｍ駆動部３０１の動作を制御する。８ｍｍ駆動部３０１は、８ｍｍ受入部１ａに収容された８ｍｍ３を駆動し、図示しないヘッド部で８ｍｍ３に映像データを読み書きする。ヘッドアンプ３０２は、８ｍｍ駆動部３０１が読み書きする映像データを増幅する。
【００６５】
映像処理部３０３は映像データに対して各種のデータ処理を行ない、例えば、映像データの動画像データに含まれる輝度データと色度データとを分離したり（Ｙ／Ｃ分離機能）、音声データをＦＭ変調したりする（ハイファイ機能）。テープセンサ３０５は８ｍｍ３のリールに巻き取られているテープ量を検出して検出結果を駆動制御部３０４へ報知する近接センサであり、駆動制御部３０４は検出したテープ量を８ｍｍ３の記録可能残量として主制御部１０に報知し、また、検出したテープ量が“０”である場合は８ｍｍ駆動部３０１にて８ｍｍ３の駆動及び映像データの読み書きを停止する。
【００６６】
８ｍｍ３に映像データを記録する場合、例えば、チューナ１５を介して取得された映像データが、第１ＡＶ入出力部３２を経由して映像処理部３０３でデータ処理され、ヘッドアンプ３０２を経由して、８ｍｍ駆動部３０１によって８ｍｍ３に記録される。また、８ｍｍ３から映像データを読み出す場合、８ｍｍ駆動部３０１が８ｍｍ３から映像データを読み出し、読み出された映像データが、ヘッドアンプ３０２を経由して、映像処理部３０３で動画像データ及び音声データに分離され、第１ＡＶ入出力部３２を経由して液晶テレビ２へ送出される。
【００６７】
ＤＶＣ処理部４０は、ＤＶＣ駆動部４０１、ヘッドアンプ４０２、転送部４０３、バッファ４０４，４０７、ＣＯＤＥＣ４０５、ＰＣＭ４０６、駆動制御部４０８、及びテープセンサ４０９を備える。映像データを読み書きする際、主制御部１０が駆動制御部４０８、転送部４０３及びＣＯＤＥＣ４０５の動作を制御し、主制御部１０に制御された駆動制御部４０８が、ＤＶＣ駆動部４０１の動作を制御する。ＤＶＣ駆動部４０１は、ＤＶＣ受入部１ｂに収容されたＤＶＣ４を駆動し、図示しないヘッド部でＤＶＣ４に映像データを読み書きする。ヘッドアンプ４０２は、ＤＶＣ駆動部４０１が読み書きする映像データを増幅する。
【００６８】
テープセンサ４０９はＤＶＣ４のリールに巻き取られているテープ量を検出して検出結果を駆動制御部４０８へ報知する近接センサであり、駆動制御部４０８は検出したテープ量をＤＶＣ４の記録可能残量として主制御部１０に報知し、また、検出したテープ量が“０”である場合はＤＶＣ駆動部４０１にてＤＶＣ４の駆動及び映像データの読み書きを停止する。更にまた、転送部４０３はバッファ４０４を作業領域として映像データを転送し、ＣＯＤＥＣ４０５及び／又はＰＣＭ４０６はバッファ４０７を作業領域として映像データをデータ処理する。
【００６９】
ＤＶＣ４に映像データを記録する場合、例えば、チューナ１５を介して取得された映像データが、第２ＡＶ入出力部６０を経由してＣＯＤＥＣ４０５で符号化（圧縮）され、転送部４０３及びヘッドアンプ４０２を経由して、ＤＶＣ駆動部４０１によってＤＶＣ４に記録される。又は、例えばデジタルビデオカメラから、映像データがＤＶ入出力部６２を介して取得され、転送部４０３及びヘッドアンプ４０２を経由して、ＤＶＣ駆動部４０１によってＤＶＣ４に記録される。また、ＤＶＣ４から映像データを読み出す場合、ＤＶＣ駆動部４０１がＤＶＣ４から符号化された映像データを読み出し、読み出された映像データが、ヘッドアンプ４０２を経由して、ＣＯＤＥＣ４０５で復号（伸張）され、動画像データ及び音声データに分離され、ＰＣＭ４０６で音声データがＡ／Ｄ変換されて、第２ＡＶ入出力部６０を経由して液晶テレビ２へ送出される。
【００７０】
ＤＶＤ処理部５０は、ＤＶＤ駆動部５０１、ＲＦアンプ５０２、デコーダ５０３、エンコーダ５０４、バッファ５０５、サーボＦＣＣを用いてなる駆動制御部５０６、及びＭＰＵを用いてなる副制御部５０７を備える。映像データを読み書きする際、主制御部１０が副制御部５０７及びデコーダ５０３の動作を制御し、主制御部１０に制御された副制御部５０７が駆動制御部５０６の動作を制御し、駆動制御部５０６がＤＶＤ駆動部５０１の図示しないヘッド部の機械的位置を制御する。
【００７１】
ＤＶＤ駆動部５０１は、ＤＶＤ受入部１ｃに収容されたＤＶＤ５を駆動し、映像データをデータファイルとして読み書きし、また、ファイル管理用のデータもＤＶＤ５に記録する。副制御部５０７は、ＤＶＤ駆動部５０１及び駆動制御部５０６を介してＤＶＤ５に記録されたファイル管理用のデータを参照して記録可能残量を求め、求めた記録可能残量を主制御部１０に報知し、また、求めた記録可能残量が“０”である場合はＤＶＤ駆動部５０１及び駆動制御部５０６を介してＤＶＤ５の駆動及び映像データの読み書きを停止する。ＲＦアンプ５０２は、ＤＶＤ駆動部５０１がＤＶＤに対し読み書きするための映像データと、外部に対して送受するための映像データとを相互に変換する。デコーダ５０３及び／又はエンコーダ５０４は、バッファ５０５を作業領域として映像データをデータ処理する。
【００７２】
ＤＶＤ５に映像データを記録する場合、例えば、チューナ１５を介して取得された映像データが、エンコーダ５０４で符号化され、ＲＦアンプ５０２を経由して、ＤＶＤ駆動部５０１によってＤＶＤ５に記録される。又は、例えばデジタルビデオカメラから映像データがＤＶ入出力部６２を介して取得され、第２ＡＶ入出力部６０及びＲＦアンプ５０２を経由して、ＤＶＤ５に記録される。また、ＤＶＤ５から映像データを読み出す場合、ＤＶＤ駆動部５０１がＤＶＤ５から符号化された映像データを読み出し、読み出された映像データが、ＲＦアンプ５０２を経由して、デコーダ５０３で復号され、動画像データ及び音声データに分離されて、第２ＡＶ入出力部６０を経由して液晶テレビ２へ送出される。
【００７３】
本実施の形態の複合記録再生装置１は、記録媒体に映像を録画する録画モード、記録媒体から映像を再生する再生モード、及び複数の記録媒体に録画された複数の映像を一纏めにして記録媒体に録画しなおす編集モードを有し、ユーザは、操作ユニット１３４を用いて複合記録再生装置１を所望のモードに切り替える。
【００７４】
複合記録再生装置１を再生モードに切り替えたユーザは、記録媒体受入部１ａ，１ｂ，１ｃに所望の記録媒体を挿入し、再生すべき映像を記録してある記録媒体に対して読み書きするための記録媒体処理部３０，４０，５０を１又は複数選択し、操作ユニット１３４を用いて選択結果を複合記録再生装置１に入力する。ここで、ユーザが単数の記録媒体処理部３０，４０，５０を選択した場合、複合記録再生装置１は一般の再生装置と同様に、選択された記録媒体処理部３０，４０，５０にて記録媒体から映像データを読み出し、このとき、液晶テレビ２の表示部２１に後述する組み合わせ画像ではない通常の画像が表示される。
【００７５】
また、ユーザが複数の記録媒体処理部３０，４０，５０を選択した場合、複合記録再生装置１は選択された複数の記録媒体処理部３０，４０，５０にて記録媒体から映像データを読み出し、このとき、表示部２１に複数の画像が組み合わされた組み合わせ画像が表示される（後述する図７参照）。このため、再生モードにて複数の記録媒体処理部３０，４０，５０を選択したユーザは、記録媒体受入部１ａ，１ｂ，１ｃに所望の記録媒体を挿入し、組み合わせ画像を構成する複数の画像の組み合わせ形態を複合記録再生装置１に入力する。このような組み合わせ形態は、組み合わせる映像の個数、配置等をユーザが自由に入力する構成でも良く、複合記録再生装置１側が表示部１４又は表示部２１に表示した選択肢の中からユーザが選択及び入力する構成でも良い。
【００７６】
図６は、複合記録再生装置１が備える画面合成部６３に関する構成を示すブロック図である。８ｍｍ処理部３０の映像処理部３０３、ＤＶＣ処理部４０のＣＯＤＥＣ４０５、及びＤＶＤ処理部５０のデコーダ５０３から夫々出力された動画像データ及び音声データは、８ｍｍ同期部３１、ＤＶＣ同期部４１、及びＤＶＤ同期部５１へ入力される。以下では、８ｍｍ同期部３１の構成を例示するが、ＤＶＣ同期部４１及びＤＶＤ同期部５１も略同様の構成である。
【００７７】
８ｍｍ同期部３１は、８ｍｍ処理部３０から入力された動画像データ及び音声データをＡ／Ｄ変換するＡ／Ｄ変換部（ＡＤ）３１１と、Ａ／Ｄ変換された動画像データに係る画像の縦横比を変換して出力し、音声データはそのままで出力する縦横比変換部３１２と、縦横比変換部３１２でのデータ処理時に作業領域として用いられるバッファ３１３とを備え、縦横比変換部３１２へクロック（ＣＬＫ）が入力されている。
【００７８】
主制御部１０は、操作ユニット１３４を用いてユーザが入力した組み合わせ形態に応じて８ｍｍ３から読み出した映像データに含まれる動画像データに係る画像の縦横比を算出し、算出した縦横比を縦横比変換部３１２へ入力し、入力された縦横比に基づいて縦横比変換部３１２が、画像の縦横比が変換されるように動画像データをデータ処理する。ただし、入力された縦横比が元の画像の縦横比に等しい場合、縦横比変換部３１２は動画像データに対し縦横比の変換に係るデータ処理を施さない。また、主制御部１０は、ユーザが入力した組み合わせ形態に係る各種データ（例えば各画像の配置、縦横の長さ等に関するデータ）を算出し、算出結果を画面合成部６３に入力する。
【００７９】
記録媒体処理部３０，４０，５０は夫々個別に記録媒体から映像データを読み出すため、記録媒体処理部３０，４０，５０から夫々出力される動画像データは非同期である。同期していない複数の動画像データを用いて組み合わせ画像を生成した場合、各動画像データに係る動画像の再生（液晶テレビ２の表示部２１での表示）のタイミングも非同期となるため、組み合わせ画像を構成する各動画像が正確に表示されないという問題がある。この問題を解決するために、記録媒体処理部３０，４０，５０から夫々出力される動画像データ及び音声データを同期部３１，４１，５１で同期させる。
【００８０】
縦横比変換部３１２でデータ処理された動画像データ、及び音声データは、クロックに同期して画面合成部６３へ出力される。また、同期部４１，５１夫々でデータ処理された動画像データ、及び音声データも、８ｍｍ同期部３１に入力されるクロックと同じクロックに同期して画面合成部６３へ出力される。このようにして、互いに同期した複数の映像データが画面合成部６３に入力されるため、各動画像データに係る動画像の再生のタイミングも同期し、この結果、液晶テレビ２の表示部２１での表示にて組み合わせ画像を構成する各動画像が正確に表示される。
【００８１】
画面合成部６３は、画像処理部６３１とバッファ６３２とを備え、画像処理部６３１はバッファ６３２を作業領域として、同期部３１，４１，５１の２以上から入力された映像データに含まれる動画像データに係る画像を組み合わせた組み合わせ画像を生成して出力する。この場合、画像処理部６３１は、画像の縦横比が変換され、しかも互いに同期した複数の映像データに含まれる動画像データを用いて、組み合わせ形態に係る各種データに基づいて組み合わせ画像を生成し、組み合わせ画像の動画像データ、及び音声データを第２ＡＶ入出力部６０へ出力する。このような動画像データ及び音声データは第２ＡＶ入出力部６０を介して液晶テレビ２へ出力される。
【００８２】
図７は、複合記録再生装置１と接続している液晶テレビ２の表示部２１に表示される画面の一例を示す模式図であり、図７（ａ）〜（ｄ）は、液晶テレビ２の表示部２１に表示される組み合わせ画像の組み合わせ形態を例示している。
【００８３】
図７（ａ）は、表示部２１を横方向に３等分した分割画面２１１ａ，２１１ｂ，２１１ｃに、相異なる３種類の記録媒体に記録された動画像データに係る画像が夫々表示されている場合を例示している。このとき、分割画面２１１ａ，２１１ｂ，２１１ｃ夫々には、例えば、単独で表示部２１に表示される場合の縦横比と同一の縦横比を有し、横方向の長さ（幅）が表示部２１の幅の１／３である画像、元の画像の横１／３分の画像、単独で表示部２１に表示される場合の縦横比の３倍の縦横比を有し、縦方向の長さ（高さ）が表示部２１の高さと同一である画像等が表示される。
【００８４】
図７（ｂ）は、表示部２１に、表示部２１と同一の大きさの大画面２１２ｂと、大画面２１２ｂより小さな２つの小画面２１２ａ，２１２ｃを例示している。このとき、各画面２１２ａ，２１２ｂ，２１２ｃに表示される画像の縦横比は、夫々が単独で表示部２１に表示される場合の縦横比と同一であるが、大画面２１２ｂに表示される画像の面積は表示部２１の面積と同一であり、小画面２１２ａ，２１２ｃに夫々表示される画像の面積は表示部２１の面積より小さい。
【００８５】
図７（ｃ）は、表示部２１を横方向に２分した分割画面２１３ａ，２１３ｂと分割画面２１３ａ，２１３ｂの境界線２１３ｃとが表示されている場合を例示している。境界線２１３ｃの位置は、ユーザが組み合わせ形態の入力時に変更可能であり、このとき、分割画面２１３ａ，２１３ｂ夫々には、例えば、高さが表示部２１の高さと同一であり、幅が境界線２１３ｃの位置に応じて変化する画像が表示される。
【００８６】
図７（ｄ）は、表示部２１に、表示部２１の面積より小さい面積を有する分割画面２１４ａ，２１４ｂ夫々に画像が表示されている場合を例示している。分割画面２１４ａ，２１４ｂに各々表示されている画像は夫々の一部が互いに重なり、重なった画像（例えば分割画面２１４ｂに表示された画像）の一方を透過するようにして他方の画像（分割画面２１４ａに表示された画像）が表示される。
【００８７】
本実施の形態においては、以上のような組み合わせ形態を、組み合わせ画像の表示前／表示中にユーザが操作部１３４を用いて入力し、入力された組み合わせ形態に基づいて表示部２１に組み合わせ画像が表示される。なお、組み合わせ画像と通常の画像とを切替可能に構成しても良い。また、各動画像データに対応する音声データに関しては、例えば全ての動画像データに対応する音声データを画面合成部６３で排除し、液晶テレビ２では組み合わせ画像が無音で表示される構成でも良い。又は、ユーザが、例えば組み合わせ形態の入力時に音声を出力する動画像を選択し、組み合わせ画像の内の選択された動画像に対応する音声のみがスピーカ２２，２２から出力される構成でも良い。更に、音声を出力する動画像が変更可能な構成でも良い。
【００８８】
図８は、複合記録再生装置１の主制御部１０が実行する映像再生処理の手順を示すフローチャートであり、映像再生処理は、ユーザによる再生モード選択時に実行される。主制御部１０は、操作ユニット１３４にて記録媒体処理部３０，４０，５０の選択を受け付けたか否かを判定し（Ｓ１１）、受け付けていない場合（Ｓ１１でＮＯ）、ユーザが操作ユニット１３４を用いて記録媒体処理部３０，４０，５０を選択するまで待機する。なお、記録媒体受入部１ａ，１ｂ，１ｃに記録媒体が収容されているか否かを検知し、収容されている記録媒体に対応する記録媒体処理部３０，４０，５０が選択されたと判定する構成でも良い。
【００８９】
操作ユニット１３４にて記録媒体処理部３０，４０，５０の選択を受け付けた場合（Ｓ１１でＹＥＳ）、主制御部１０は、Ｓ１１にて選択された記録媒体処理部３０，４０，５０の個数が単数か複数かを判定する（Ｓ１２）ことによって組み合わせ画像を生成するか否かを判定し、選択された記録媒体処理部３０，４０，５０の個数が単数である場合（Ｓ１２で単数）、組み合わせ画像を生成しないと判定して、組み合わせ画像ではない通常の画像を生成する通常再生処理を行なうサブルーチン（図１１参照）を呼び出して実行し（Ｓ２４）、実行後に映像再生処理を終了する。
【００９０】
Ｓ１１にて選択された記録媒体処理部３０，４０，５０の個数が複数である場合（Ｓ１２で複数）、組み合わせ画像を生成すると判定して、主制御部１０は、操作ユニット１３４にて組み合わせ形態を受け付けたか否かを判定し（Ｓ１３）、受け付けていない場合（Ｓ１３でＮＯ）、ユーザが組み合わせ形態を入力するまで待機する。操作ユニット１３４にて組み合わせ形態を受け付けた場合（Ｓ１３でＹＥＳ）、主制御部１０は、受け付けた組み合わせ形態に係る各種データを算出して画面合成部６３に入力し、また、受け付けた組み合わせ形態に基づいて、組み合わせ画像を構成する各画像の縦横比を算出し（Ｓ１４）、算出した縦横比をＳ１１で選択された記録媒体処理部３０，４０，５０に対応する同期部３１，４１，５１に入力する。
【００９１】
更に、主制御部１０は、Ｓ１１で選択された記録媒体処理部３０，４０，５０を制御して、記録媒体処理部３０，４０，５０に対応する記録媒体夫々からの映像データの読み出しを開始させる（Ｓ１５）。このとき、各映像データは並行して読み出され、主制御部１０は、読み出された映像データを同期部３１，４１，５１に入力させ、組み合わせ画像を構成する各画像の縦横比が変換されるよう同期部３１，４１，５１に動画像データをデータ処理させ（Ｓ１６）、更に、データ処理された複数の動画像データを同期させて画面合成部６３へ出力させる（Ｓ１７）。更に、主制御部１０は画面合成部６３に、入力された複数の動画像データに基づく組み合わせ画像を生成させ（Ｓ１８）、組み合わせ画像の動画像データを、第２ＡＶ入出力部６０を介して液晶テレビ２へ出力する（Ｓ１９）。
【００９２】
更にまた、主制御部１０は、映像の再生を終了するか否かを判定する（Ｓ２１）。この場合、主制御部１０は、記録媒体処理部３０，４０，５０にて各記録媒体に記録された映像データを全て読み出したとき、操作ユニット１３４を用いてユーザが映像の再生を終了する命令を入力したとき等に映像の再生を終了すると判定し、映像の再生を終了すると判定した場合（Ｓ２１でＹＥＳ）、記録媒体処理部３０，４０，５０に映像データの読み出しを終了させ、映像再生処理を終了する。
【００９３】
また、映像の再生をまだ終了しないと判定した場合（Ｓ２１でＮＯ）、主制御部１０は、操作ユニット１３４にて組み合わせ形態を受け付けたか否かを判定し（Ｓ２２）、受け付けていない場合（Ｓ２２でＮＯ）、処理をＳ１６へ戻し、記録媒体処理部３０，４０，５０夫々にて読み出された映像データを同期部３１，４１，５１に入力し続ける。一方、操作ユニット１３４にて組み合わせ形態を受け付けた場合（Ｓ２２でＹＥＳ）、主制御部１０は、受け付けた組み合わせ形態に係る各種データを算出して画面合成部６３に入力し、また、受け付けた組み合わせ形態に基づいて、組み合わせ画像を構成する各画像の縦横比を算出し（Ｓ２３）、算出した縦横比をＳ１１で選択された記録媒体処理部３０，４０，５０に対応する同期部３１，４１，５１に入力して、処理をＳ１６へ戻す。
【００９４】
以上のような映像再生処理のＳ１１〜Ｓ２３によって、液晶テレビ２の表示部２１には、複数の画面が複合したような合成画面が表示される。つまり、１台の複合記録再生装置１によって相異なる種類の記録媒体に記録された映像データに係る動画像が同時に再生される。このため、ユーザは複数の動画像を１台の液晶テレビ２で見ることができる。
【００９５】
また、このような映像再生処理における記録媒体処理部３０，４０，５０は、動画データが記録してある夫々異なる種類の記録媒体から動画データを各読み出す複数の読出処理部として機能する。更に、同期部３１，４１，５１は、複数の読出処理部が読み出す動画データを同期させる同期手段、及び各読出処理部が読み出す動画データに係る画像の縦横比を変換する縦横比変換手段として機能し、操作ユニット１３４は、画像の組み合わせ形態を受け付ける組み合わせ受付手段として機能する。
【００９６】
更にまた、画面合成部６３は、複数の読出処理部の中で２以上の読出処理部が読み出した動画データに係る画像を組み合わせた組み合わせ画像を生成する組み合わせ画像生成手段として機能し、同期手段により同期し、しかも縦横比変換手段により画像の縦横比が変換された動画データを用いて、組み合わせ受付手段が受け付けた組み合わせ形態に基づいて組み合わせ画像を生成すべくなしてある。また、第２ＡＶ入出力部は、組み合わせ画像生成手段が生成した組み合わせ画像を出力する出力手段として機能する。
【００９７】
図９及び図１０は、複合記録再生装置１の主制御部１０が実行する映像記録処理の手順を示すフローチャートであり、映像記録処理は、ユーザによる記録モード選択時に実行される。記録モード時の複合記録再生装置１は、例えばチューナ１５を介して受け付けた映像データを記録媒体に記録する通常記録処理又は継続記録処理を実行する。通常記録処理では、複合記録再生装置１は、受け付けた映像データを記録媒体処理部３０，４０，５０の何れか一つにて記録媒体に、映像データの受け付けが終了するか記録媒体の記録可能残量が“０”になるかユーザが操作ユニット１３４を用いて記録終了を命令するまで記録する。
【００９８】
継続記録処理では、複合記録再生装置１は、受け付けた映像データを記録媒体処理部３０，４０，５０の何れか一つにて記録媒体に記録し、記録媒体の記録可能残量が“０”に近づいた場合、映像データを記録する記録媒体処理部３０，４０，５０を切り替える。つまり、複合記録再生装置１は、記録媒体の記録可能残量が“０”に近づいた場合に、データ記録中の記録媒体処理部３０，４０，５０以外の記録媒体処理部３０，４０，５０の何れか一つにて記録媒体に映像データを記録する。なお、通常記録処理及び継続記録処理以外に、受け付けた１個の映像データを、１個の記録媒体ではなく２個の記録媒体に同時的に記録する処理を設けても良い。この場合、相異なる種類の記録媒体に映像データをダビングする手間を省くことができる。
【００９９】
ユーザは、複合記録再生装置１を記録モードに切り替えた後、記録媒体受入部１ａ，１ｂ，１ｃに所望の記録媒体を挿入し、映像を録画すべき記録媒体に対応する記録媒体処理部３０，４０，５０を１又は複数選択する。ここで、記録媒体処理部３０，４０，５０を複数選択する場合、ユーザは記録媒体処理部３０，４０，５０が記録媒体への記録を行なう順序、即ち記録媒体処理部３０，４０，５０を切り替える切替順序を自分で決定して入力するか、複合記録再生装置１に切替順序を決定させる。本実施の形態の複合記録再生装置１は、記録可能残量が少ない記録媒体から順に映像データを記録するが、記録可能残量が多い記録媒体から順に映像データを記録する構成でも良い。
【０１００】
主制御部１０は、操作ユニット１３４にて記録媒体処理部３０，４０，５０の選択を受け付けたか否かを判定し（Ｓ３１）、受け付けていない場合（Ｓ３１でＮＯ）、ユーザが記録媒体処理部３０，４０，５０を選択するまで待機する。操作ユニット１３４にて記録媒体処理部３０，４０，５０の選択を受け付けた場合（Ｓ３１でＹＥＳ）、主制御部１０は、Ｓ３１にて選択された記録媒体処理部３０，４０，５０の個数が単数か複数かを判定する（Ｓ３２）ことにより、継続記録処理を行なうか否かを判定する。なお、記録媒体受入部１ａ，１ｂ，１ｃに記録媒体が収容されているか否かを検知し、収容されている記録媒体に対応する記録媒体処理部３０，４０，５０が選択されたと判定する構成でも良い。
【０１０１】
Ｓ３１にて選択された記録媒体処理部３０，４０，５０の個数が複数である場合（Ｓ３２で複数）、継続記録処理を行なうと判定し、切替順序を受け付けたか否かを判定し（Ｓ３３）、受け付けなかった場合（Ｓ３３でＮＯ）、主制御部１０は、Ｓ３１にて選択された記録媒体処理部３０，４０，５０に各記録媒体の記録可能残量を報知させることによって記録可能残量を検知し（Ｓ３４）、検知した記録可能残量を比較し（Ｓ３５）、比較結果に応じて切替順序を決定する（Ｓ３６）。更に、主制御部１０は、Ｓ３３でＮＯの場合はＳ３６にて決定した切替順序をＲＡＭ１２に記憶させ、また、Ｓ３３にて切替順序を受け付けた場合は（Ｓ３３でＹＥＳ）、受け付けた切替順序をＲＡＭ１２に記憶させる（Ｓ３７）。この切替順序は、記録媒体に映像データを記録する記録媒体処理部３０，４０，５０のデータ書き込み開始順序でもある。
【０１０２】
次に、主制御部１０は、ＲＡＭ１２に記憶してある切替順序に基づいて、映像データの記録を開始する記録媒体処理部３０，４０，５０を決定し（Ｓ３８）、Ｓ３８にて決定した記録媒体処理部３０，４０，５０にて、記録媒体に識別データを記録する（Ｓ３９）。この識別データは、映像データを継続的に記録した相異なる種類の記録媒体夫々を、主制御部１０又はユーザが識別するためのデータであり、主制御部１０が、例えば記録開始日時に基づいて適宜生成しても良く、ユーザが操作ユニット１３４を用いて入力しても良い。
【０１０３】
Ｓ３９の処理の完了後、Ｓ３８にて決定した記録媒体処理部３０，４０，５０にて記録媒体への映像データの記録を開始し、また、Ｓ３２にて、Ｓ３１で選択された記録媒体処理部３０，４０，５０の個数が単数である場合（Ｓ３２で単数）、通常記録処理を行なうと判定して、Ｓ３２にて選択された記録媒体処理部３０，４０，５０にて記録媒体への映像データの記録を開始する（Ｓ４１）。Ｓ４１における記録媒体への映像データの記録は、例えば、ユーザが操作ユニット１３４を用いて記録開始を命令した場合に開始するか、又はユーザが操作ユニット１３４を用いて予め記録開始時刻を設定し、設定した時刻に開始する。
【０１０４】
次いで、主制御部１０は、録画を終了するか否かを判定する（Ｓ５１）。この場合、ユーザが操作ユニット１３４を用いて記録終了を命令したとき、又は予めユーザによって設定されていた記録終了時刻に、録画を終了すると判定する。録画を終了すると判定した場合（Ｓ５１でＹＥＳ）、主制御部１０は、映像データ記録中の記録媒体処理部３０，４０，５０に映像データの記録を終了させ、映像記録処理を終了する。
【０１０５】
一方、まだ録画を終了しないと判定した場合（Ｓ５１でＮＯ）、主制御部１０は、映像データ記録中の記録媒体処理部３０，４０，５０に記録媒体の記録可能残量を報知させることによって記録可能残量を検知し（Ｓ５２）、検知した記録可能残量が所定の記録可能残量以下であるか否かを判定し（Ｓ５３）、検知した記録可能残量が所定の記録可能残量を超過している場合（Ｓ５３でＮＯ）、記録媒体に対する映像データの記録を続行しつつ、処理をＳ５１へ戻す。
【０１０６】
検知した記録可能残量が所定の記録可能残量以下である場合（Ｓ５３でＹＥＳ）、主制御部１０は、記録媒体にデータを記録する記録媒体処理部３０，４０，５０を切り替えるか否かを判定する（Ｓ５４）。この場合、主制御部１０は、Ｓ３２で通常記録処理を行なうと判定している場合、又はＳ３２にて継続記録処理を行なうと判定しており、Ｓ３１にて選択された全ての記録媒体処理部３０，４０，５０にて映像データの記録を行なった場合、記録媒体処理部３０，４０，５０を切り替えないと判定する。また、Ｓ３２で継続記録処理を行なうと判定しており、Ｓ３１にて選択された全ての記録媒体処理部３０，４０，５０の内、まだ映像データの記録を行なっていない記録媒体処理部３０，４０，５０がある場合、主制御部１０は、記録媒体処理部３０，４０，５０を切り替えると判定する。
【０１０７】
主制御部１０は、記録媒体にデータを記録する記録媒体処理部３０，４０，５０を切り替えないと判定した場合（Ｓ５４でＮＯ）、記録可能残量が“０”になるまでか、ユーザが操作ユニット１３４を用いて記録終了を命令するまでか、又は予めユーザによって設定されていた記録終了時刻に達するまで、映像データの記録を続行してから、映像データ記録中の記録媒体処理部３０，４０，５０に映像データの記録を終了させ、（Ｓ６１）、映像記録処理を終了する。
【０１０８】
Ｓ５４にて記録媒体処理部３０，４０，５０を切り替えると判定した場合（Ｓ５４でＹＥＳ）、主制御部１０は、ＲＡＭ１２に記憶してある切替順序に基づいて、次に映像データの記録を開始する記録媒体処理部３０，４０，５０を決定し（Ｓ５５）、Ｓ５５にて決定した記録媒体処理部３０，４０，５０にて、記録媒体に識別データを記録する（Ｓ５６）。
【０１０９】
更に主制御部１０は、映像継続情報を記録する（Ｓ５７）。この場合、主制御部１０は、Ｓ５６にて識別データを記録した記録媒体処理部３０，４０，５０（以下、今回の記録媒体処理部３０，４０，５０という）及び映像データ記録中の記録媒体処理部３０，４０，５０（以下、前回の記録媒体処理部３０，４０，５０という）夫々にて、記録媒体から識別データを読み出し、一方／他方の記録媒体に記録されていた識別データを映像継続情報として他方／一方に記録する。この後、主制御部１０は、一の記録媒体に記録してある他の記録媒体の識別データを調べることによって、一の記録媒体の前／後に映像データが記録された記録媒体が検索可能となる。なお、識別データを相互に記録し合う構成のみならず、一方の記録媒体に記録されていた識別データを他方に記録して、他方から一方へは記録しない構成でも良い。
【０１１０】
又は、Ｓ５７にて、映像継続情報を記録媒体に記録せず、ＨＤＤ１７に記録する。この場合、主制御部１０は、今回及び前回の記録媒体処理部３０，４０，５０夫々にて、記録媒体から識別データを読み出し、読み出した識別データと、Ｓ３７にてＲＡＭ１２に記憶させた切替順序とを関連付けて、映像継続情報としてＨＤＤ１７に記録する。この後、主制御部１０は、一の記録媒体に記録してある該記録媒体の識別データとＨＤＤ１７に記録してある映像継続情報とを調べることによって、一の記録媒体の前／後に映像データが記録された記録媒体が検索可能となる。以下では、一の記録媒体の前／後に映像データが記録された記録媒体を、前回／次回の記録媒体という。
【０１１１】
Ｓ５７にて映像継続情報の記録後、主制御部１０は、今回の記録媒体処理部３０，４０，５０にて、記録媒体に映像データの記録を開始する（Ｓ５８）。この時点では、今回及び前回の記録媒体処理部３０，４０，５０の両方にて、同一の映像データが相異なる２個の記録媒体に同時的に記録されている。次いで、主制御部１０は、前回の記録媒体処理部３０，４０，５０にて、記録媒体の記録可能残量が“０”になるまで映像データの記録を続行してから、映像データの記録を終了する（Ｓ５９）。この時点で、今回の記録媒体処理部３０，４０，５０のみで、映像データが記録媒体に記録される。Ｓ５９の処理完了後、主制御部１０は、記録媒体に対する映像データの記録を続行しつつ、処理をＳ５１へ戻す。
【０１１２】
以上のような継続記録処理によって、一の記録媒体に映像データを記録している場合、他の記録媒体に十分な記録可能残量があるときでも、一の記録媒体の記録可能残量分までしか映像データを記録できないという従来の複合記録装置の問題が解決され、相異なる種類の記録媒体にわたって映像データを記録することができるようになる。このため、例えば、１個の記録媒体の最大記録可能時間を越える長時間の録画が可能になる。また、記録可能残量が少ない記録媒体を複数利用して映像データを記録することができる。
【０１１３】
このような継続記録処理における記録媒体処理部３０，４０，５０は、入力された映像データを夫々異なる種類の記録媒体に各記録する複数の記録処理部として機能し、テープセンサ３０５，４０９及び副制御部５０７は、Ｓ５２にて主制御部１０に制御されて、記録媒体の記録可能残量を検知する検知手段として機能する。また、主制御部１０は、Ｓ５４〜Ｓ５９にて、記録媒体に映像データを記録する記録処理部を切り替える切替手段として機能し、Ｓ３１〜Ｓ６１（ただしＳ３２でＹＥＳ）にて、切替手段により、記録媒体にデータを記録する記録処理部を切り替えて各記録媒体へ映像データを継続的に記録する継続記録手段として機能する。
【０１１４】
更に、主制御部１０は、Ｓ５３にて、検知手段が検知した記録可能残量が所定の記録可能残量以下であるか否かを判定する残量判定手段として機能し、Ｓ５８にて、継続記録手段により映像データを継続的に記録する場合、残量判定手段が、一の記録処理部で記録される記録媒体の記録可能残量が所定の記録可能残量以下であると判定したとき、他の記録処理部で記録媒体への映像データの記録を開始する記録開始手段として機能する。更にまた、Ｓ３３にて、操作ユニット１３４は、記録媒体にデータを記録する記録処理部の切替順序を受け付ける順序受付手段として機能し、Ｓ６６にて、主制御部１０は、各記録媒体に対する検知手段の検知結果に基づいて、記録媒体にデータを記録する記録処理部の切替順序を決定する順序決定手段として機能する。
【０１１５】
また、継続記録手段は、Ｓ５５にて、順序受付手段が受け付けた切替順序に従って各記録処理部を順次的に切り替えるか、又は順序決定手段が決定した切替順序に従って各記録処理部を順次的に切り替える。更に、記録媒体処理部３０，４０，５０は、Ｓ３９及びＳ５６にて、記録媒体の識別映像データを記録媒体に記録する識別記録手段として機能する。
【０１１６】
更にまた、Ｓ５７にて、記録媒体処理部３０，４０，５０は、継続記録手段により映像データを継続的に記録するとき、相前後して映像データを記録する２個の記録媒体の内、一方の記録媒体に記録された識別映像データを他方の記録媒体に記録する継続識別記録手段として機能する。又は、Ｓ５７にて、主制御部１０は、映像データを記録する各記録媒体の識別映像データを、映像データを記録した順序に対応してＨＤＤ１７に記録する順序記録手段として機能する。
【０１１７】
なお、Ｓ３３にて切替順序を受け付ける場合、各記録媒体の記録可能残量を検知し、検知した記録可能残量をユーザに報知しても良い。この場合、ユーザは記録媒体の記録可能残量を参考にして切替順序を決定することができる。また、Ｓ３１にてユーザが複数の記録媒体処理部３０，４０，５０を選択しない場合であっても、記録媒体の記録可能残量が“０”に近づいた場合、継続記録処理を実行する構成でも良い。この場合、ユーザが継続記録処理を意識することなく、相異なる記録媒体にわたって映像データを記録し、記録可能残量不足による映像データの記録失敗を防止することができる。このとき、切替順序はユーザが予め入力しておいても良く、主制御部１０が適宜決定しても良い。
【０１１８】
更に、Ｓ３８又はＳ５５の処理完了後に、Ｓ３８又はＳ５５にて決定した記録媒体処理部３０，４０，５０に対応する記録媒体の記録可能残量を検知し、検知結果が所定の記録残量以下である場合、割り込みでＳ５４の処理を実行する構成でも良い。この場合、記録可能残量が不十分な記録媒体をスキップして、十分な記録可能残量を有する記録媒体への映像データの記録を開始することができる。更にまた、Ｓ３１の処理開始前に、記録媒体処理部３０，４０，５０に対応する記録媒体の記録可能残量を検知し、検知結果が所定の記録残量以下である記録媒体に対応する記録媒体処理部３０，４０，５０に関しては、主制御部１０がＳ３１にて選択の受け付けを拒否する構成でも良い。
【０１１９】
また、Ｓ５９の処理を、Ｓ５８の処理の前に実行して、前回の記録媒体処理部３０，４０，５０での記録を先に終了してから今回の記録媒体処理部３０，４０，５０での記録を開始しても良い。この場合、今回の記録媒体処理部３０，４０，５０での映像データ記録が開始されるまでは、例えばＨＤＤ１７に映像データを記録する。このようにしてＨＤＤ１７に記録した映像データは、後で記録媒体処理部３０，４０，５０にて記録媒体に記録しても良く、ＨＤＤ１７に残しておいても良い。
【０１２０】
図１１は複合記録再生装置１の主制御部１０が実行する通常再生処理手順のサブルーチンを示すフローチャートであり、通常再生処理のサブルーチンは、図８のＳ２４にて呼び出される。主制御部１０は、Ｓ１１にて選択を受け付けた記録媒体処理部３０，４０，５０にて映像データの読み出しを開始し（Ｓ７１）、読み出した映像データを、第２ＡＶ入出力部６０を介して液晶テレビ２へ出力する（Ｓ７２）。
【０１２１】
また、主制御部１０は、映像データ読出中の記録媒体処理部３０，４０，５０に係る映像の再生を終了するか否かを判定する（Ｓ７３）。主制御部１０は、記録媒体処理部３０，４０，５０にて記録媒体に記録された映像データを全て読み出したとき、操作ユニット１３４を用いてユーザが映像の再生を終了する命令を入力したとき等に映像の再生を終了すると判定し、映像の再生をまだ終了しないと判定した場合（Ｓ７３でＮＯ）、主制御部１０は、映像データの読み出しを続行し、処理をＳ７２へ戻す。
【０１２２】
Ｓ７３にて、映像の再生を終了すると判定した場合（Ｓ７３でＹＥＳ）、主制御部１０は、継続して映像を再生するか否かを判定する（Ｓ７４）。その際、主制御部１０は、Ｓ７３にてユーザによる映像の再生を終了する命令を入力された場合、継続して映像を再生しないと判定する。また、映像の再生を終了する命令を入力されていない場合、主制御部１０は、記録媒体又はＨＤＤ１７に映像継続情報が記録されているか否かを判定し、記録媒体又はＨＤＤ１７に映像継続情報が記録されていないとき、又は記録されている映像識別情報に、次回の記録媒体の識別データが含まれていないときに、継続して映像を再生しないと判定する。以上のようにして継続して映像を再生しないと判定した場合（Ｓ７４でＮＯ）、主制御部１０は本サブルーチンを終了する。
【０１２３】
一方、記録媒体又はＨＤＤ１７に映像継続情報が記録されており、記録されている映像識別情報に、次回の記録媒体の識別データが含まれているとき、主制御部１０は、継続して映像を再生すると判定する（Ｓ７４でＹＥＳ）。この場合、記録媒体又はＨＤＤ１７に記録されている映像継続情報を読み出し（Ｓ７５）、読み出した映像継続情報に含まれる次回の記録媒体の識別データが記録された記録媒体を検索して（Ｓ７６）、次回の記録媒体が記録媒体受入部１ａ，１ｂ，１ｃに収容されているか否かを判定する（Ｓ７７）。次回の記録媒体が収容されていると判定した場合（Ｓ７７でＹＥＳ）、主制御部１０は処理をＳ７１へ戻し、次回の記録媒体に対応する記録媒体処理部３０，４０，５０にて映像データの読み出しを開始する。
【０１２４】
Ｓ７６における記録媒体の検索は、記録媒体受入部１ａ，１ｂ，１ｃに収容されている各記録媒体に識別データが記録されているか否かを判定し、記録されている場合は、記録されている識別データが次回の記録媒体の識別データと一致するか否かを判定することによって行ない、記録されている識別データが次回の記録媒体の識別データと一致するときに、次回の記録媒体が記録媒体受入部１ａ，１ｂ，１ｃに収容されていると判定する。
【０１２５】
記録媒体受入部１ａ，１ｂ，１ｃに次回の記録媒体が収容されていないと判定した場合（Ｓ７７でＮＯ）、主制御部１０は、Ｓ７５にて読み出した次回の記録媒体の識別データを操作ユニット１３４の表示部１４に表示することによって、ユーザに対し、映像継続情報を報知する（Ｓ７８）。この場合、ユーザは操作ユニット１３４に表示された識別データが記録された記録媒体を、対応する記録媒体受入部１ａ，１ｂ，１ｃの何れかに挿入する。主制御部１０は、記録媒体受入部１ａ，１ｂ，１ｃが記録媒体を新たに収容したか否かを判定し（Ｓ７９）、新たに収容していない場合（Ｓ７９でＮＯ）、記録媒体が収容されるまで待機し、収容した場合（Ｓ７９でＹＥＳ）、処理をＳ７６へ戻す。
【０１２６】
以上のような通常再生処理は、映像記録処理の通常記録処理にて１個の記録媒体に記録された映像データと、映像記録処理の継続記録処理にて記録された相異なる複数の記録媒体にわたる継続的な映像データとを夫々記録媒体処理部３０，４０，５０にて読み出す。このとき、液晶テレビ２の表示部２１で映像が再生される。
【０１２７】
なお、主制御部１０が、Ｓ１２、Ｓ２４等の処理前に、記録媒体又はＨＤＤ１７に記録されている映像継続情報を読み出し、Ｓ１１にて選択された記録媒体処理部３０，４０，５０に対応する記録媒体受入部１ａ，１ｂ，１ｃに収容されている記録媒体の前回／次回の記録媒体がある場合はその記録媒体の識別データをユーザに報知する構成でも良い。
【０１２８】
図１２は、複合記録再生装置１の主制御部１０が実行する映像編集処理の手順を示すフローチャートであり、映像記録処理は、ユーザによる編集モード選択時に実行される。本実施の形態の複合記録再生装置１は、相異なる種類の記録媒体に記録された複数の映像データを一旦ＨＤＤ１７に記録し、記録した映像データを編集して一繋ぎの映像データとなし、再び記録媒体に記録する。
【０１２９】
ユーザは、記録媒体受入部１ａ，１ｂ，１ｃに所望の記録媒体を挿入し、一繋ぎの映像データとなすべき複数の映像データを夫々記録している記録媒体（以下、元の記録媒体という）に対応する記録媒体処理部３０，４０，５０、及び一繋ぎの映像データを記録するべき記録媒体（以下、新たな記録媒体という）に対応する記録媒体処理部３０，４０，５０を選択し、選択結果を、操作ユニット１３４を用いて複合記録再生装置１に入力する。また、ユーザは、一繋ぎの映像データになすべき複数の映像データを選択し、該映像データの繋ぎ合わせ順を決定して、選択結果及び決定結果を複合記録再生装置１に入力する。
【０１３０】
ここで、新たな記録媒体は、元の記録媒体と同一の記録媒体でも、同一種類の記録媒体でも、異なる種類の記録媒体でも良い。なお、一繋ぎの映像データは、１個の新たな記録媒体に記録しても良く、複数の新たな記録媒体にわたって記録しても良い。
【０１３１】
主制御部１０は、操作ユニット１３４にて記録媒体処理部３０，４０，５０の選択を受け付けたか否かを判定し（Ｓ９１）、受け付けていない場合（Ｓ９１でＮＯ）、ユーザが操作ユニット１３４を用いて記録媒体処理部３０，４０，５０を選択するまで待機する。なお、記録媒体受入部１ａ，１ｂ，１ｃに記録媒体が収容されているか否かを検知し、収容されている記録媒体に対応する記録媒体処理部３０，４０，５０が選択されたと判定する構成でも良い。
【０１３２】
操作ユニット１３４にて記録媒体処理部３０，４０，５０の選択を受け付けた場合（Ｓ９１でＹＥＳ）、主制御部１０は、Ｓ９１にて選択された元の記録媒体の内、どの記録媒体から映像データを読み出すかを決定して（Ｓ９２）、決定した記録媒体から映像データを読み出し（Ｓ９３）、読み出した映像データをＨＤＤ１７に記録する（Ｓ９４）。
【０１３３】
次に、主制御部１０は、Ｓ９１にて選択された記録媒体処理部３０，４０，５０にて、元の記録媒体の内、全ての記録媒体から映像データを読み出したか否かを判定し（Ｓ９５）、読み出していない場合（Ｓ９５でＮＯ）、処理をＳ９２ヘ戻して次の記録媒体を決定する。一方、全ての記録媒体から映像データを読み出した場合（Ｓ９５でＹＥＳ）、主制御部１０は、操作ユニット１３４にて一繋ぎの映像データになすべき複数の映像データと該映像データの繋ぎ合わせ順とを受け付けたか否かを判定し（Ｓ９６）、受け付けていない場合（Ｓ９６でＮＯ）、ユーザがこれらを入力するまで待機する。
【０１３４】
操作ユニット１３４にて一繋ぎの映像データになすべき複数の映像データと該映像データの繋ぎ合わせ順とを受け付けた場合（Ｓ９６でＹＥＳ）、主制御部１０は、Ｓ９６で受け付けた最も若い順の映像データをＨＤＤ１７から読み出す（Ｓ９７）。次いで、主制御部１０は、ＨＤＤ１７に現在記録されている他の映像データに上書きしないように、Ｓ９７で読み出した映像データをＨＤＤ１７に記録する（Ｓ９８）。ただし、Ｓ９８の処理を２回以上繰り返している場合は、前回のＳ９８の処理にてＨＤＤ１７に記録された映像データに連続的に、今回のＳ９８の処理にて映像データを記録する。
【０１３５】
更に、主制御部１０は、Ｓ９６にて受け付けた映像データを全て繋ぎ合わせたか否かを判定し（Ｓ９９）、繋ぎ合わせ終えていない場合（Ｓ９９でＮＯ）、処理をＳ９７へ戻して次の順の映像データをＨＤＤ１７から読み出す。Ｓ９７〜Ｓ９９の処理を繰り返すことによって、主制御部１０は複数の映像データを用いて一繋ぎの映像データを生成する。つまり、映像データの編集は自動的になされる。このため、Ｓ９６にて映像データの選択及び繋ぎ合わせ順の決定を行なった後、映像データの編集をユーザが自分で行なう必要がない。
【０１３６】
全映像データの繋ぎ合わせが終了した場合（Ｓ９９でＹＥＳ）、主制御部１０は、一繋ぎに繋ぎ合わせたの映像データをＨＤＤ１７から読み出し（Ｓ１０１）、Ｓ９１にて選択された新たな記録媒体に対応する記録媒体処理部３０，４０，５０にて、Ｓ１０１で読み出した映像データを記録して（Ｓ１０２）、Ｓ９４、及びＳ９８にてＨＤＤ１７に記録した映像データ並びにＳ９１及びＳ９６でＲＡＭ１２に記録した各種データを削除し、映像編集処理を終了する。
【０１３７】
ここで、新たな記録媒体がＤＶＤ５である場合、主制御部１０は、Ｓ９１の処理後、Ｓ９２の処理前に、ＨＤＤ１７に、初期映像補助データを記録する。この初期映像補助データは、一繋ぎの映像データの開始を示すデータである。また、Ｓ９９にて記録する映像データと次にＳ９９にて記録する映像データとの間に、各映像データに連続的に映像補助データを記録する。この映像補助データは、映像データ間の区切りを示す情報（トランジション）である。更に、Ｓ９９にて全映像データの繋ぎ合わせが終了した場合に、初期映像補助データに、Ｓ９９にて記録した各映像データに関する情報を付加する。
【０１３８】
以上のような映像編集処理によって、相異なる記録媒体に記録された複数の映像データを編集して、編集した映像データを、編集前の映像データを記録していた記録媒体と同一種類、異なる種類、又は同一の記録媒体に記録する。従来は一の記録媒体に記録された複数の映像データを編集して他の記録媒体に記録していたため、複合記録再生装置１は、編集作業の利便性を向上している。
【０１３９】
また、このような映像編集処理における記録媒体処理部３０，４０，５０は、映像データが記録してある夫々異なる種類の記録媒体から映像データを各読み出す複数の媒体処理部として機能し、操作ユニット１３４は、各記録媒体に記録してある映像データを繋ぎ合わせる順序を受け付ける繋合順受付手段として機能する。
【０１４０】
更に、主制御部１０は、Ｓ９４にて、各媒体処理部が読み出した映像データをＨＤＤ１７の一部の記録領域に記録する第１記録手段として機能し、Ｓ９７にて、ＨＤＤ１７の一部の記録領域に記録された映像データを繋合順受付手段が受け付けた順序に従って読み出すデータ読出手段、及びデータ読出手段が読み出した映像データを読み出した順にＨＤＤ１７の他部の記録領域に記録する第２記録手段として機能する。更にまた、記録媒体処理部３０，４０，５０は、第２記録手段がＨＤＤ１７の他部の記録領域に記録した一繋ぎの映像データを各媒体処理部に係る記録媒体に記録する第３記録手段として機能する。
【０１４１】
なお、主制御部１０は、待機中に、又は一の処理の実行中に、他の処理を割り込みで実行しても良い。例えばＳ７９にて記録媒体の受け入れ待ち中に、操作ユニット１３４にて強制終了命令が入力された場合、ＣＰＵ１０は、主制御部１０はＳ７９の処理に割り込んで、通常再生処理を終了する。
【０１４２】
以上のような複合記録再生装置１における記録媒体処理部３０，４０，５０の夫々は、記録媒体に対して映像データを記録するためのレコーダ機構と読み出すためのプレーヤ機構とが共通化されている。また、主制御部１０、操作ユニット１３４、電源機器１６等が記録媒体処理部３０，４０，５０に対し共通化されている。更に、記録媒体処理部４０，５０に対し第２ＡＶ入出力部６０、ＤＶ入出力部６２等が共通化されている。このため複合記録再生装置１は、例えば複数の記録装置、再生装置、及び／又は記録再生装置が接続されてなるネットワーク装置よりも小型化され、また、共通化された回路、機器等の分だけコストダウンされる。
【０１４３】
また、８ｍｍ及びＤＶＣはＶＨＳよりも小型であり、このため８ｍｍ受入部１ａ及びＤＶＣ受入部１ｂはＶＨＳの受入部より小型である。また、複合記録再生装置１は、積重配置された記録媒体受入部１ａ，１ｂとＤＶＤ受入部１ｃとが正面左右方向に並置してある。この結果、複合記録再生装置１は、ＶＨＳの受入部とＤＶＤの受入部とが正面左右方向に並置してある従来の複合記録装置よりも正面左右方向の寸法が短縮されている。
【０１４４】
図１３は、本発明に係る他の構成を有する複合記録再生装置１００の外観を示す斜視図である。複合記録再生装置１００は直方体状であり、ＤＶＤ受入部１ｃ、８ｍｍ受入部１ａ、及びＤＶＣ受入部１ｂが下から順に積重配置されている。このため複合記録再生装置１００は複合記録再生装置１よりも更に正面左右方向の寸法が短縮されている。複合記録再生装置１００の上面は液晶テレビ２の脚部２ｂが載置困難な程度の面積を有するため、液晶テレビ２は、例えば複合記録再生装置１００に隣接並置される。
【０１４５】
複合記録再生装置１と複合記録再生装置１００との差は記録媒体受入部１ａ，１ｂ，１ｃの配置の差、及びこれらの配置の差による各部の配置、外観形状等の差であり、その他は略同様の構成を有する。なお、本実施の形態の複合記録再生装置１，１００は各記録媒体を略水平の状態で受け入れる記録媒体受入部１ａ，１ｂ，１ｃを積重／並置してある（横置きである）が、略垂直の状態で受け入れる記録媒体受入部を積重／並置しても（縦置きでも）良い。
【０１４６】
また、本実施の形態においては、８ｍｍ、ＤＶＣ、及びＤＶＤに対応する複合記録再生装置、及び複合記録再生装置とは別体の液晶テレビで映像を再生する構成を例示したが、これらに限定されるものではない。例えば、２種類又は４種類以上の夫々相異なる種類の記録媒体に対応する複合記録装置又は複合再生装置でも良く、テレビが一体に設けられた複合記録再生装置でも良い。
【図面の簡単な説明】
【０１４７】
【図１】本発明に係る一の構成を有する複合記録再生装置の外観を示す斜視図である。
【図２】本発明に係る複合記録再生装置の全体的な構成を示すブロック図である。
【図３】本発明に係る複合記録再生装置が備える８ｍｍ処理部に関する構成を示すブロック図である。
【図４】本発明に係る複合記録再生装置が備えるＤＶＣ処理部に関する構成を示すブロック図である。
【図５】本発明に係る複合記録再生装置が備えるＤＶＤ処理部に関する構成を示すブロック図である。
【図６】本発明に係る複合記録再生装置が備える画面合成部に関する構成を示すブロック図である。
【図７】本発明に係る複合記録再生装置と接続している液晶テレビの表示部に表示される画面の一例を示す模式図である。
【図８】本発明に係る複合記録再生装置の主制御部が実行する映像再生処理の手順を示すフローチャートである。
【図９】本発明に係る複合記録再生装置の主制御部が実行する映像記録処理の手順を示すフローチャートである。
【図１０】本発明に係る複合記録再生装置の主制御部が実行する映像記録処理の手順を示すフローチャートである。
【図１１】本発明に係る複合記録再生装置の主制御部が実行する通常再生処理手順のサブルーチンを示すフローチャートである。
【図１２】本発明に係る複合記録再生装置の主制御部が実行する映像編集処理の手順を示すフローチャートである。
【図１３】本発明に係る他の構成を有する複合記録再生装置の外観を示す斜視図である。
【符号の説明】
【０１４８】
１  複合記録再生装置（複合記録装置，複合再生装置，複合記録再生装置）
１ａ，１ｂ，１ｃ  記録媒体受入部
１０  主制御部
１３４  操作ユニット（順序受付手段，組み合わせ受付手段，繋合順受付手段）
１７  ＨＤＤ（記録機器）
３  ８ｍｍ（記録媒体）
３０  ８ｍｍ処理部（記録処理部，読出処理部，媒体処理部）
３０１  ８ｍｍ駆動部（識別記録手段）
３１  ８ｍｍ同期部（同期手段，縦横比変換手段）
３０５，４０９  テープセンサ（検知手段）
４  ＤＶＣ（記録媒体）
４０  ＤＶＣ処理部（記録処理部，読出処理部，媒体処理部）
４０１  ＤＶＣ駆動部（識別記録手段）
４１  ＤＶＣ同期部（同期手段，縦横非変換手段）
５  ＤＶＤ（記録媒体）
５０  ＤＶＤ処理部（記録処理部，読出処理部，媒体処理部）
５１  ＤＶＤ同期部（同期手段，縦横非変換手段）
５０１  ＤＶＣ駆動部（識別記録手段）
５０７  副制御部（検知手段）
６０  第２ＡＶ入出力部（出力手段）
６３  画面合成部（組み合わせ画像生成手段）
【図１】
2005260719.tif 000003
【図２】
2005260719.tif 000004
【図３】
2005260719.tif 000005
【図４】
2005260719.tif 000006
【図５】
2005260719.tif 000007
【図６】
2005260719.tif 000008
【図７】
2005260719.tif 000009
【図８】
2005260719.tif 000010
【図９】
2005260719.tif 000011
【図１０】
2005260719.tif 000012
【図１１】
2005260719.tif 000013
【図１２】
2005260719.tif 000014
【図１３】
2005260719.tif 000015